(57)【要約】【課題】植栽用水を貯留可能な貯水容器部と、貯水容器部に吸水性の植栽床材を設置するための床材収納部と、貯水容器部の底面と連通接続された受水部とを備えた植栽容器、及び、同植栽容器と同植栽容器に連結されるケース部材とを備えた植栽装置を、全体としてよりコンパクトで、且つ、簡単で便利に使用できるように改善する。【解決手段】受水部１７が貯水容器部１０の外周の一部から径方向外向きに突出するように設けられている植栽容器２０、及び、植栽容器２０と植栽容器２０に外嵌状に連結される枠状のケース部材５０とを備え、ケース部材５０が、植栽容器２０を環状に包囲する縦壁部５１と、縦壁部５１の上部から径方向内向きに延びたカバー部５２とを備えている植栽装置６０Ａとした。【選択図】図４
2014100086.tif 000002
【特許請求の範囲】
【請求項１】
植栽用水を貯留可能な貯水容器部と、前記貯水容器部に吸水性の植栽床材を設置するための床材収納部と、前記貯水容器部の底面と連通接続された受水部とを備えており、
前記受水部が前記貯水容器部の外周の一部から径方向外向きに突出するように設けられている植栽容器。
【請求項２】
前記受水部の底面が前記貯水容器部の底面よりも上方に配置されている請求項１に記載の植栽容器。
【請求項３】
前記受水部は前記貯水容器部を構成する側壁部の上部から径方向外側に延出したフランジ部に連設されている請求項１または２に記載の植栽容器。
【請求項４】
前記受水部と前記貯水容器部とは前記受水部よりも狭隘なチャンネル部によって連通接続されている請求項１から３のいずれか一項に記載の植栽容器。
【請求項５】
前記床材収納部に設置された前記植栽床材と、前記貯水容器部を構成する側壁部との間に環状の用水流路が形成され、前記貯水容器部の底面の前記受水部と対向する位置に、前記用水流路の径方向内側に沿って延びた流水規制片が立設されている請求項１から４のいずれか一項に記載の植栽容器。
【請求項６】
請求項１から５のいずれか一項に記載の植栽容器と、同植栽容器に外嵌状に連結される枠状のケース部材とを備え、前記ケース部材が、前記植栽容器を環状に包囲する縦壁部と、前記縦壁部の上部から径方向内向きに延びたカバー部とを備えている植栽装置。
【請求項７】
前記植栽容器の外周面の互いに径方向で対向する箇所に、前記外嵌に基づいて前記縦壁部の内面の係止凹部または係止孔部に弾性的に進入して係止される少なくとも一対の係止部が設けられている請求項６に記載の植栽装置。
【請求項８】
前記ケース部材の外周面に、前記外周面に沿って上下に延びる第１辺と、前記第１辺の下端から側方に延びる第２辺とを有する固定補助具を取り付けるための被係止部が設けられている請求項６または７に記載の植栽装置。
【請求項９】
前記ケース部材の外周面に、平面視で前記ケース部材と対応する外形を備えたユニット状のフローリング材を径方向に連結するための被係止部が設けられている請求項６または７に記載の植栽装置。
【請求項１０】
前記カバー部の下面に、前記ケース部材が前記植栽容器に外嵌された状態において、前記貯水容器部を構成する側壁部の上部から径方向外側に延出したフランジ部と当接する当接片が立設されている請求項６から９のいずれか一項に記載の植栽装置。
【請求項１１】
前記当接片は、前記床材収納部に設置された前記植栽床材の径方向に沿った移動を阻止する請求項１０に記載の植栽装置。
【請求項１２】
前記カバー部に風抜き用の貫通孔が形成されている請求項６から１１のいずれか一項に記載の植栽装置。
【請求項１３】
前記ケース部材の前記縦壁部が平面視において矩形を呈する４つの縦壁部を備え、前記ケース部材が前記植栽容器に外嵌された状態において、前記受水部が互いに隣接する２つの前記縦壁部の隅部の内側に収納される請求項６から１２のいずれか一項に記載の植栽装置。
【請求項１４】
前記ケース部材が前記植栽容器に外嵌された状態において、平面視で前記受水部と重なり合う前記カバー部の位置に、給水手段の筒状給水部を下向きに支持可能な係止孔または同係止孔の中心を示すドリルマークが形成されている請求項６から１３のいずれか一項に記載の植栽装置。
【請求項１５】
前記縦壁部は、前記ケース部材どうしを上下に積層した際に、下方の前記ケース部材の前記縦壁部が上方に隣接する前記ケース部材の前記縦壁部の内側に進入した状態を得るための、階段状またはテーパ状の断面形状を備えている請求項６から１４のいずれか一項に記載の植栽装置。
【発明の詳細な説明】
【技術分野】
【０００１】
本発明は、植栽用水を貯留可能な貯水容器部と、前記貯水容器部に吸水性の植栽床材を設置するための床材収納部とを備えた植栽容器、及び、同植栽容器と同植栽容器に連結されるケース部材とを含む植栽装置に関する。
【背景技術】
【０００２】
この種の植栽容器及び同植栽容器を含む植栽装置に類似した先行技術文献情報として下記に示す特許文献１がある。
この特許文献１に記された植栽容器は、目皿などで上方に支持された培地と下部の液溜（貯水容器部）とを備えた植物栽培部と、液溜に植栽用水を供給するための給水部とに仕切り板で区切られている。
【０００３】
給水タンクとしてＰＥＴボトルなどの容器を用いる際に、同容器の筒状口部の側面に水流出用の貫通孔を予め設けておき、その口部（筒状給水部）が下向きとなる姿勢で植栽容器の給水部に設置すると、給水タンク内の植栽用水が重力で貫通孔から給水部内に排出されて、仕切り板に設けられた水路を介して、植物栽培部に供給され、植物栽培部の液溜から上方の培地まで延びた吸水体を上向きに伝って培地に潅水される。尚、重力による植栽用水の排出は、給水部に溜まった植栽用水の水面が流出用の貫通孔まで上がった時点で一旦中断される。
【先行技術文献】
【特許文献】
【０００４】
【特許文献１】特開２００５−４０００９号公報（００１８段落、００４１段落、図１、図１２）
【発明の概要】
【発明が解決しようとする課題】
【０００５】
しかし、特許文献１に記された植栽容器及び同植栽容器を含む植栽装置では、直方体状の植栽容器を縦型の仕切り板によって植物栽培部と給水部とに区切った構造を有するので、植栽容器または同植栽容器を含む植栽装置が全体として嵩張り、比較的大きな設置面積を要するという傾向があった。
【０００６】
そこで、本発明の目的は、上に例示した従来技術が与える課題に鑑み、全体としてよりコンパクトで、且つ、簡単で便利に使用できる植栽容器及び同植栽容器を含む植栽装置を提供することにある。
【課題を解決するための手段】
【０００７】
本発明による植栽容器の特徴構成は、
植栽用水を貯留可能な貯水容器部と、前記貯水容器部に吸水性の植栽床材を設置するための床材収納部と、前記貯水容器部の底面と連通接続された受水部とを備えており、
前記受水部が前記貯水容器部の外周の一部から径方向外向きに突出するように設けられている点にある。
【０００８】
上記の特徴構成を備えた植栽容器では、前記受水部が前記貯水容器部の外周の一部から径方向外向きに突出するように設けられているので、植栽容器または同植栽容器を含む植栽装置が全体として嵩張り難く、設置面積がより小さくて済むという利点が得られる。
【０００９】
本発明の他の特徴構成は、前記受水部の底面が前記貯水容器部の底面よりも上方に配置されている点にある。
【００１０】
本構成であれば、筒状給水部をその先端が給水部の底面よりも僅かに上方に位置するように連結した場合でも、貯水容器部に所定厚さ以上の植栽用水を貯水できることになり、植栽床材及び植物に対する速度給水を十分に確保することが可能となる。
【００１１】
本発明の他の特徴構成は、前記受水部は前記貯水容器部を構成する側壁部の上部から径方向外側に延出したフランジ部に連設されている点にある。
【００１２】
本構成であれば、受水部がフランジ部によって機械的に補強されるので、満水状態の給水タンクを取り付けても、受水部が給水タンクの質量によって変形する虞が抑制される。
【００１３】
本発明の他の特徴構成は、前記受水部と前記貯水容器部とは前記受水部よりも狭隘なチャンネル部によって連通接続されている点にある。
【００１４】
本構成であれば、受水部の係止部が十分な周長さで給水手段の筒状給水部を支持する状態が得られるので、給水手段を安定して保持できる。
【００１５】
本発明の他の特徴構成は、前記床材収納部に設置された前記植栽床材と、前記貯水容器部を構成する側壁部との間に環状の用水流路が形成され、前記貯水容器部の底面の前記受水部と対向する位置に、前記用水流路の径方向内側に沿って延びた流水規制片が立設されている点にある。
【００１６】
本発明による植栽装置の特徴構成は、
前述した各請求項のいずれか一項に記載の植栽容器と、同植栽容器に外嵌状に連結される枠状のケース部材とを備え、前記ケース部材が、前記植栽容器を環状に包囲する縦壁部と、前記縦壁部の上部から径方向内向きに延びたカバー部とを備えている点にある。
【００１７】
上記の特徴構成を備えた植栽装置では、ケース部材が植栽容器に外嵌状に連結されることで、植栽容器を単独で用いる場合に比べて、質量が増すことで風などによって倒れ難い安定した植栽装置が得られるだけでなく、植栽容器の外周部付近などが、ケース部材の縦壁部とカバー部によって覆われることで、植栽装置の全体的な美観が増す。
【００１８】
本発明の他の特徴構成は、前記植栽容器の外周面の互いに径方向で対向する箇所に、前記外嵌に基づいて前記縦壁部の内面の係止凹部または係止孔部に弾性的に進入して係止される少なくとも一対の係止部が設けられている点にある。
【００１９】
本構成であれば、ケース部材を植栽容器に外嵌させると一対の係止部が縦壁部の内面の係止凹部または係止孔部に弾性的に進入して係止されることで、ケース部材と植栽容器とが簡単に一体化するので、ケース部材の外周部位などを支持することで、植栽容器や植栽床材を含めた植栽装置の全体を容易に搬送することができる。
【００２０】
本発明の他の特徴構成は、前記ケース部材の外周面に、前記外周面に沿って上下に延びる第１辺と、前記第１辺の下端から側方に延びる第２辺とを有する固定補助具を取り付けるための被係止部が設けられている点にある。
【００２１】
本構成であれば、ケース部材の外周面に固定補助具を取り付けることで、固定補助具の第２辺がケース部材の外周面の下端付近から径方向外向きに延びた状態が得られ、この第２辺の上にレンガやブロックなどを載せることで、風その他の外力によって植栽装置が倒れたり移動したりする事態を抑制できる。
【００２２】
本発明の他の特徴構成は、前記ケース部材の外周面に、平面視で前記ケース部材と対応する外形を備えたユニット状のフローリング材を径方向に連結するための被係止部が設けられている点にある。
【００２３】
本構成であれば、例えば、平面視でケース部材と対応する外形を備えた多数のユニット状のフローリング材をフロアなどに敷き詰めた場合、そのフローリング材の一部を本発明に係る植栽容器ユニットに置き換えることができるので、植栽装置がフロアの一部として自然に溶け込んだ美的な印象が得られる。
【００２４】
本発明の他の特徴構成は、前記カバー部の下面に、前記ケース部材が前記植栽容器に外嵌された状態において、前記貯水容器部を構成する側壁部の上部から径方向外側に延出したフランジ部と当接する当接片が立設されている点にある。
【００２５】
本構成であれば、ケース部材を植栽容器に外嵌させると、ケース部材のカバー部の下面に立設されている当接片と植栽容器のフランジ部とが当接によって一体化して互いに補強し合うので、ケース部材のカバー部及び植栽容器のフランジ部を薄肉化することができ、結果的に、植栽装置の全体としての軽量化が図られる。
【００２６】
本発明の他の特徴構成は、前記当接片は、前記床材収納部に設置された前記植栽床材の径方向に沿った移動を阻止する点にある。
【００２７】
本構成であれば、床材収納部が径方向に沿って不用意に移動する事態を阻止することができる。これは上下の２部材に分割された植栽床材を用いる場合に特に有効である。
【００２８】
本発明の他の特徴構成は、前記カバー部に風抜き用の貫通孔が形成されている点にある。
【００２９】
本構成であれば、もしも植栽装置を載置したフロアなどに沿って吹く突風がケース部材の内部に進入しても、貫通孔から上向きに抜け出ることで、突風によって植栽装置がフロア面から浮き上がる事態が抑制される。
【００３０】
本発明の他の特徴構成は、前記ケース部材の前記縦壁部が平面視において矩形を呈する４つの縦壁部を備え、前記ケース部材が前記植栽容器に外嵌された状態において、前記受水部が互いに隣接する２つの前記縦壁部の隅部の内側に収納される点にある。
【００３１】
本構成であれば、径方向外向きに突出する受水部を備えた植栽容器を、比較的コンパクトな矩形のケース部材の内側に合理的に収納できる。
【００３２】
本発明の他の特徴構成は、前記ケース部材が前記植栽容器に外嵌された状態において、平面視で前記受水部と重なり合う前記カバー部の位置に、給水手段の筒状給水部を下向きに支持可能な係止孔または同係止孔の中心を示すドリルマークが形成されている点にある。
【００３３】
本構成であれば、ケース部材を植栽容器に外嵌させた状態で、ケース部材のカバー部に設けられた係止孔に給水手段を取り付ければ、給水手段から給水される植栽用水を植栽容器の受水部に落下させることができ、植栽床材を介した植物への潅水が可能となる。
【００３４】
本発明の他の特徴構成は、前記縦壁部は、前記ケース部材どうしを上下に積層した際に、下方の前記ケース部材の前記縦壁部が上方に隣接する前記ケース部材の前記縦壁部の内側に進入した状態を得るための、階段状またはテーパ状の断面形状を備えている点にある。
【００３５】
本構成であれば、ケース部材の単体どうし、または、植栽容器に外嵌させたケース部材どうしを、下方のケース部材の縦壁部が上方に隣接するケース部材の縦壁部の内側に進入した状態で、上下に積層させることができるので、より多くのケース部材または植栽容器とケース部材のセットを一定の収納空間内に収納することができ、また、保管中の荷崩れなどが生じ難く好都合である。
【図面の簡単な説明】
【００３６】
【図１】第１植栽容器セットの組み立て後の状態を示す斜視図である。
【図２】第１植栽容器セットの全体を示す破断正面図である。
【図３】第１植栽容器セットの組み立て手順を示す斜視図である。
【図４】第１植栽容器セットの組み立て手順を示す斜視図である。
【図５】第１植栽容器セットの要部を示す破断正面図である。
【図６】植栽用トレイにおける植栽用水の流れを示す平面図である。
【図７】第１植栽容器セットの別の要部を示す破断正面図である。
【図８】第１植栽容器セットの一使用状態を示す斜視図である。
【図９】ケース部材の積層状態を示す破断正面図である。
【図１０】第２植栽容器セットの組み立て前の状態を示す斜視図である。
【図１１】第２植栽容器セットの組み立て後の状態を示す破断正面図である。
【図１２】第３植栽容器セットの組み立て後の状態を示す斜視図である。
【図１３】第３植栽容器セットの全体を示す破断正面図である。
【図１４】第３植栽容器セットの一形態における要部を示す破断正面図である。
【図１５】第３植栽容器セットの別形態における要部を示す破断正面図である。
【発明を実施するための形態】
【００３７】
以下に本発明を実施するための形態について図面を参照しながら説明する。
（第１植栽容器セットの構成）
図１は本発明に係る植栽容器の一使用形態としての第１植栽容器セット６０Ａ（植栽装置の一例）を示す。
図２に示すように、第１植栽容器セット６０Ａは、吸水性の植栽床材３０を設置した植栽用トレイ２０（植栽容器の一例）と、植栽用トレイ２０の外周に取り付けられたケース部材５０とを有し、図１に示す形態では、ケース部材５０にボトル状の給水タンク４０（給水手段の一例）が潅水手段として取り付けられている。植栽用トレイ２０とケース部材５０とはいずれも樹脂材料の射出成形などで形成されている。
【００３８】
第１植栽容器セット６０Ａを組み立てる際には、例えば、図３に示すように、植栽用トレイ２０の内部に植栽床材３０を設置し、次に、図４に示すように、ケース部材５０を植栽用トレイ２０の上から被せるように取り付けることができる。但し、先ず植栽用トレイ２０にケース部材５０を取り付けた後で、植栽床材３０を設置するという順序で組み立てることも可能である。
【００３９】
（植栽用トレイの構成）
図３及び図６に示すように、植栽用トレイ２０は、概して矩形の底壁部１と、底壁部１の外周から概して上方に延びた側壁部２と、側壁部２の上端から径方向外側に延びたフランジ部４とを有する。
【００４０】
底壁部１と側壁部２とは協働して、植栽用水を貯留可能な皿状の貯水容器部１０を形成しており、植栽用トレイ２０は底壁部１の下面１Ａまたは下面１Ａの中央付近に形成された突設部１Ｂを介してフロアなどに載置することができる。また、底壁部１は、吸水性の植栽床材３０を設置するための床材収納部１２をも形成している。
【００４１】
植栽用トレイ２０の底壁部１は平面視において概して矩形を呈し、フランジ部４の外形は平面視において概して八角形を呈している。
植栽床材３０は、概して矩形の下部３０Ａと、下部３０Ａの上に位置し、径方向において下部３０Ａよりも径方向外側まで延びた上部３０Ｂとを有する。
植栽床材３０の上部３０Ｂには幾つかの植栽用凹部３０Ｒが形成されており、これらの植栽用凹部３０Ｒに植物Ｐの苗などを植え付けることができる。
【００４２】
また、植栽床材３０の上面には中心から径方向外側を向いた矢印状の指標３０Ｃが設けられており、植栽用トレイ２０の底壁部１の上面にも中心から径方向外側を向いた同様の指標２０Ｃが設けられている。
これらの指標２０Ｃ，３０Ｃどうしが一致するような角度姿勢で植栽床材３０を植栽用トレイ２０の床材収納部１２に設置することで、例えば植栽床材３０や植栽用トレイ２０が正方形ではない場合など設置する向きがある場合、簡単に位置あわせをすることができる。
【００４３】
底壁部１の上面には４つの流水規制片３が全体として環状を呈するように立設されており、植栽床材３０を床材収納部１２に設置したとき、植栽床材３０の下部３０Ａはこれらの流水規制片３の内側に載置されることで、植栽床材３０の径方向の移動が規制される。
【００４４】
さらに、植栽床材３０を床材収納部１２に設置したとき、側壁部２の内面は植栽床材３０の下部３０Ａよりも径方向外側に離間しているので、貯水部容器部１０には下部３０Ａの全周を取り囲む環状の用水流路１４が形成される。４つの流水規制片３は用水流路１４の径方向内側に沿って延びている。
【００４５】
この実施形態では、植栽床材３０を床材収納部１２に設置したとき、植栽床材３０の上部３０Ｂがフランジ部４の上に支持されるように側壁部２の高さを設定してある。
植栽用トレイ２０は、底壁部１を挟んで互いに径方向で対峙した一対の潅水部１６を備えている。一対の潅水部１６は、底壁部１が有する互いに対向する一対のコーナー部に対応する位置に設けられている。
【００４６】
潅水部１６は、フランジ部４の径方向外側端部からさらに外側に延出された補助フランジ部４Ａを備え、補助フランジ部４Ａの径方向外側端部付近に形成された小さなカップ状の受水部１７と、受水部１７と底壁部１の上面（底面の一例）とを径方向に連通接続する狭隘なチャンネル部１８とを有する。受水部１７は貯水容器部１０の外周の一部から径方向外向きに突出するように設けられている。
【００４７】
図２に示すように、受水部１７の底面とチャンネル部１８の底面とは、互いに同じ高さで概して水平に、または、僅かに底壁部１に向かって下降するように形成されており、底壁部１の上面よりも僅かに上方（例えば約５〜１０ｍｍ）に位置する。
また、前述の４つの流水規制片３の２つは径方向でチャンネル部１８と対向する位置に配置されている。
【００４８】
尚、図３に示すように、フランジ部４における補助フランジ部４Ａが設けられていない側の径方向内側付近から側壁部２の上端付近にかけては、所定の水位を超える過剰な量の植栽用水を自動的に排水させるための一対の小さなスリット６が形成されている。
【００４９】
図４及び図７に示すように、植栽用トレイ２０の外周面の互いに径方向で対向する箇所には、植栽用トレイ２０に対するケース部材５０の外嵌に基づいて、ケース部材５０の縦壁部５１の一部に係止される一対の係止片５（係止部の一例）が設けられている。
【００５０】
一対の係止片５は、植栽用トレイ２０のフランジ部４における補助フランジ部４Ａから約９０°変位した位置に設けられており、フランジ部４の径方向外側端面から下向きに延びた矩形板状の係止本体５Ａと、係止本体５Ａの下端付近から径方向外側に突出した横長の係止突起５Ｂとを有する。
【００５１】
（ケース部材の構成）
図４などに示すように、ケース部材５０は、平面視で概して正方形を呈し、環状に接続された４つの直線状の縦壁部５１と、縦壁部５１の上端から水平内向きにフランジ状に延びたカバー部５２とを備える。
【００５２】
ケース部材５０を構成するべく互いに垂直に接続された４つの縦壁部５１は、平面視においてほぼ正方形状（矩形の一例）を呈しており、図４から理解されるように、ケース部材５０が植栽用トレイ２０に外嵌された状態では、植栽用トレイ２０の潅水部１６（及び受水部１７）は、２つの縦壁部５１どうしの接合部の内側にある一対の隅部の内側に収納される。
【００５３】
図４及び図７に示すように、ケース部材５０の縦壁部５１の内面の所定箇所には、前述した植栽用トレイ２０の係止突起５Ｂを受け入れる横長の係止孔５１Ｈが形成されており、ケース部材５０を植栽用トレイ２０に対して正しい角度位置で外嵌させつつ押し下げていくと、先ず係止突起５Ｂが縦壁部５１の内面に押付けられることで係止片５の係止本体５Ａが内側に弾性変形し、次にケース部材５０の縦壁部５１の下端がフロアに接するまで押し下げられると、係止突起５Ｂが係止孔５１Ｈに弾性的に係入されて、外嵌操作が完了する。
【００５４】
ケース部材５０のカバー部５２の上面における互いに径方向に対峙した一対のコーナーに相当する２箇所には、給水タンク４０の筒状給水部４０Ａを下向きに装着するための係止孔５３、または、この係止孔５３の中心を示すドリルマーク５２Ａが形成されており、ケース部材５０を植栽用トレイ２０に対して正しい角度位置で外嵌させると、これらの係止孔５３またはドリルマーク５２Ａは、平面視において植栽用トレイ２０の受水部１７及び係止部１７Ａの中心と一致するように構成されている。
【００５５】
ケース部材５０に係止孔５３が形成されていない場合も、図４に例示するように、ドリルマーク５２Ａを基準にして適切な内径の貫通孔をドリル６５などで穿孔すると、受水部１７及び係止部１７Ａと対応した正しい位置に係止孔５３が形成される。
【００５６】
図２に示すように、細長いチューブ状の延長部４２Ａを備えた流水制御キャップ４２を給水タンク４０の筒状給水部４０Ａに内嵌するように取り付けておき、ケース部材５０の係止孔５３に対して下向きに装着すると、図１０に例示するように、給水タンク４０の植栽用水が延長部４２Ａから植栽用トレイ２０の潅水部１６（及び受水部１７）内に落下し、チャンネル部１８と用水流路１４を経て、植栽床材３２に給水されて、植物Ｐへの潅水が行われる。
【００５７】
より具体的には、給水タンク４０から植栽用トレイ２０の潅水部１６（及び受水部１７）に供給された植栽用水は、図６に例示するように、チャンネル部１８を通って底壁部１に流れ込み、注がれる植栽用水の流量が一定の値を超えると、流水規制片３に衝突して、環状の用水流路１４に沿って流れた後、隣接する流水規制片３どうしの間隙から中心寄りに流れて植栽床材３０に吸水され、植栽床材３０の植栽凹部に植えられた植物Ｐの根に潅水される。
【００５８】
また、給水タンク４０からの給水によって貯水容器部１０での水面の高さが延長部４２Ａの下端に達すると、給水タンク４０内の気圧が大気圧と平衡して給水が自然に止まる。その後、植物Ｐによる吸水などによって貯水容器部１０の水面が降下すると再び給水タンク４０から同降下に応じた量の給水が行われる。
【００５９】
尚、潅水手段として給水タンク４０の代わりに給水ホースを用いることも可能であり、その場合は、給水ホースをケース部材５０の係止孔５３に通して、給水ホースの先端を受水部１７の係止部１７Ａに係止させることができる。
【００６０】
ケース部材５０を植栽用トレイ２０に対して平面視における正しい角度位置で外嵌させると、ケース部材５０の４つの縦壁部５１は植栽用トレイ２０の４つの側壁部２と平行になる。
図４及び図７に示すように、カバー部５２の下面には板状の当接リブ５２Ｂ（当接片の一例）が下向きに立設されている。カバー部５２を構成する矩形の４辺の各々に対して２枚の当接リブ５２Ｂが互いに周方向に離間して設けられている。
【００６１】
ケース部材５０を植栽用トレイ２０に外嵌させ、係止突起５Ｂが係止凹部５１Ｈに係入された状態では、各当接リブ５２Ｂの下端が植栽用トレイ２０のフランジ部４の上面と上下方向で対向する。図７に例示するように、当接リブ５２Ｂの下端が植栽用トレイ２０のフランジ部４の上面に当接されるように構成してもよい。
【００６２】
尚、図示はしていないが、フランジ部４の下面と側壁部２の外面とを一体化させるように径方向に延びた補強リブを設けてもよい。このような補強リブを設けることで、フランジ部４に対して上下方向の応力が作用した際にも、フランジ部４が変形され難くなる。特に、この補強リブの下端が、底壁部１の下面１Ａに形成された突設部１Ｂの下端面と略等しい位置まで下方に延びた脚状の形態とすれば、フランジ部４に対する上方からの応力によって補強リブの下端がフロアに押付けられることで、フランジ部４が同応力によって変形することを効果的に抑制できる。
【００６３】
このような補強リブを設けた場合、ケース部材５０の縦壁部５１の内面に、補強リブの径方向外側部位と係合可能な係止部を設けるとよい。
また、特に補強リブを前述したような脚状の形態で設ける場合、補強リブに対して上下方向での十分な強度を持たせ、且つ、植栽用トレイ２０をより軽量化するために、側壁部２の外面に周方向に沿って互いに離間した２枚の板状リブと、これらの板状リブの径方向外側端面どうしを周方向に沿って接続する板状の接続部とで構成し、側壁部２の一部と協働して全体として上下方向に向いた軸芯を有する筒状の補強部とすることができる。
【００６４】
また、図７に例示するように、当接リブ５２Ｂの径方向内側の端面は、床材収納部１２に設置された植栽床材３０の上部３０Ｂの側面と対向配置されており、植栽床材３の径方向に沿った移動を阻止する機能を兼務するように構成することも可能である。これは、上下の２部材に分割された植栽床材３０を用いる場合に特に有効である。
【００６５】
ケース部材５０のカバー部５２には、風抜き用の貫通孔５２Ｃが周方向に沿って形成されている。もしもフロアに沿って吹く突風がケース部材５０の内部に進入しても、突風が貫通孔５２Ｃから上向きに抜け出ることで、突風によって第２植栽容器ユニット６０Ｂがフロアから浮き上がる事態が抑制される。
【００６６】
図１、図４などに示すように、ケース部材５０の縦壁部５１の各外周面には複数の係止爪５１Ｊ（補助係止部の一例）が形成されている。図８に例示されるように、１つのケース部材５０の係止爪５１Ｊに対して別のケース部材５０の係止爪５１Ｊを上下に相対移動させることで係止爪５１Ｊどうしを噛み合わせれば、複数のケース部材５０どうしをタイル状に連結することができる。
【００６７】
また、図８に例示されるように、同様の係止爪５１Ｊを外周に備えたユニット状のフローリング材１００に対して第２植栽容器ユニット６０Ｂを径方向に連結することも可能である。
【００６８】
さらに、図１や図４に例示するように、係止爪５１Ｊを利用して、ケース部材５０の外周面に固定補助具７０を取り付けることもできる。図に示す固定補助具７０は、側面視における断面がＬ字状を呈しており、ケース部材５０の縦壁部５１の各外周面に沿って延びる第１辺７０Ａと、第１辺７０Ａの下端から側方に延びる第２辺７０Ｂとを有する。
【００６９】
図４に示すように、第１辺７０Ａの上端の両端付近からは一対の下向きの係止爪部７０Ｃが延びている。係止爪部７０Ｃは、第２辺７０Ｂと反対側に設けられており、係止爪部７０Ｃをケース部材５０の係止爪５１Ｊに係入させることで、固定補助具７０をケース部材５０の縦壁部５１に固定できる。
【００７０】
固定補助具７０を係止爪５１Ｊによって縦壁部５１に固定すると、固定補助具７０の第２辺７０Ｂが、縦壁部５１の下端からフロアの面に沿って水平に延びた状態が得られる。そこで、この第２辺７０Ｂの上にレンガやブロック等のウェイトを載せることで、第２植栽容器ユニット６０Ｂが風などで移動する事態を簡単に阻止することができる。
【００７１】
固定補助具７０の上端の中央には中心を示す指標７０Ｍが設けられており、この指標７０Ｍをケース部材５０の縦壁部５１の周方向中心に配置された中心指標５１Ｍに合わせることで、固定補助具７０の一対の係止爪部７０Ｃをケース部材５０の対応する係止爪５１Ｊに円滑に係入させることができる。
【００７２】
（ケース部材の積層）
ケース部材５０どうしの各係止孔５３またはドリルマーク５２Ａが平面視において互いに一致する角度姿勢であれば、ケース部材５０どうしを、または、植栽用トレイ２０に外嵌装着されたケース部材５０どうしを上下に積層することができる。
【００７３】
このようにケース部材５０どうしを上下に積層した際には、下方のケース部材５０の縦壁部５１が上方に隣接するケース部材５０の縦壁部５１の内側に部分的に進入した連結状態が得られる。
【００７４】
そのために、ケース部材５０の縦壁部５１は階段状の断面形状を備えている。すなわち、図１０に示すように、縦壁部５１はフロアに載置される下方部位５１Ａと、下方部位５１Ａの上端から径方向内側に短く延びた接続部５１Ｂと、接続部５１Ｂの内側端部から上方に延びた上方部位５１Ｃとを有する。
【００７５】
図示された例では、下方部位５１Ａは鉛直方向に延びているが、上方部位５１Ｃは上に向かって僅かに縮径するように延びており、上方部位５１Ｃの下端の外周面と下方部位５１Ａの内周面とが平面視において略一致するように構成されている。
【００７６】
その結果、図１３に例示するように、ケース部材５０どうしを上下に積層した際には、上方のケース部材５０の下方部位５１Ａの下端が、下方に隣接するケース部材５０の接続部５１Ｂの上に載置され、且つ、上方のケース部材５０の下方部位５１Ａの内周面が、下方のケース部材５０の上方部位５１Ｃの下端付近の外周面に外嵌された安定した連結状態が得られる。
【００７７】
また、ケース部材５０どうしを正しい角度姿勢で上下に積層したときに、ケース部材５０の縦壁部５１どうしを互いに連結する補助連結手段８０が設けられている。
補助連結手段８０は、平面視において、係止孔５３またはドリルマーク５２Ａから約４５°反時計方向に変位した位置に設けられており、上方部位５１Ｃの外周面の周方向の中心付近に設けられた突起８０Ａと、突起８０Ａを受け入れ可能なように下方部位５１Ａの周方向の中心付近に形成された係止孔８０Ｂとからなる。
【００７８】
ケース部材５０の縦壁部５には、ケース部材５０どうしを誤った角度姿勢で外嵌することを防止する誤装着防止手段９０が設けられている。すなわち、誤った角度姿勢とは、上下に配置されるケース部材５０どうしの各係止孔５３またはドリルマーク５２Ａが平面視において互いに一致しない角度姿勢のことである。
【００７９】
誤装着防止手段９０は、補助連結手段８０の一部として前述した突起８０Ａと、縦壁部５１の内面の周方向の中心付近で下端から上方に延びた誤挿入防止リブ９０Ａとからなる。ケース部材５０どうしを誤った角度姿勢で外嵌しようとすると、この誤挿入防止リブ９０Ａと突起８０Ａとが上下方向から衝突することで、誤った角度姿勢であることを使用者に示唆する。
【００８０】
（第２植栽容器セットの構成）
図１０と図１１に例示するように、１つの植栽用トレイ２０と、上下に積層した２つのケース部材５０と、前述した植栽床材３０と異なる形状の植栽床材３２とを組み合わせることで、前述の第１植栽容器ユニット６０Ａよりも上下の寸法の大きな第２植栽容器ユニット６０Ｂ（植栽装置の一例）を構成することができる。
この第２植栽容器ユニット６０Ｂに用いる植栽床材３２は、前述した植栽床材３０と同一形状の下部３２Ａと、前述した植栽床材３０よりも厚い上部３２Ｂとを備えているが、２つの薄い植栽床材３０を上下に積み重ねて用いてもよい。
【００８１】
上段側のケース部材５０の係止孔５３に給水タンク４０の筒状給水部４０Ａを下向きに装着することができ、図２のものよりも更に長いチューブ状の延長部４２Ａを備えた流水制御キャップ４２を筒状給水部４０Ａに取り付けておけば、延長部４２Ａを介して給水タンク４０から流出した植栽用水は、下段側のケース部材５０の係止孔５３を通過して、植栽用トレイ２０の潅水部１６（及び受水部１７）内に落下して、チャンネル部１８と用水流路１４を経て、植栽床材３２に給水されて、植物Ｐへの潅水が行われる。
【００８２】
（第３植栽容器セットの構成）
【００８３】
図１２〜図１５に例示するように、ケース部材５０を用いずに、植栽用トレイ２０と植栽床材３０とで構成された第３植栽容器セット６０Ｃの形態で実施してもよい。
これらの図では、植栽用トレイ２０の一対の受水部１７に、給水タンク４０（給水手段の一例）の筒状給水部４０Ａが下向きに取り付けられている。すなわち、受水部１７の筒状の内面は、ボトル状の給水タンク４０の筒状給水部４０Ａを下向きに支持固定可能な係止部１７Ａを構成している。
【００８４】
尚、第３植栽容器セット６０Ｃのための専用の給水タンク４０を設けてもよいが、市販のＰＥＴボトルを給水タンク４０として利用できるように、受水部１７の係止部１７Ａの寸法形状を市販のＰＥＴボトルの飲み口の外形寸法に合わせておくことも好適である。係止部１７Ａは、筒下向きに開口した筒状給水部４０Ａを押付けることで、筒状給水部４０Ａの外周部が圧入固定されるような円筒状の滑らかな内面としてもよく、或いは、筒状給水部４０Ａに設けられた雄ネジ部を螺合させる雌ネジを係止部１７Ａに設けてもよい。
【００８５】
他方、係止部１７Ａには、水道に接続した配管（不図示、給水手段の一例）や給水ホース（不図示、給水手段の一例）などの筒状給水部を支持固定させてもよい。
【００８６】
図１４は、給水タンク４０の筒状給水部４０Ａをそのまま受水部１７の係止部１７Ａに係入して用いる実施形態を例示しており、他方、図１５は、小穴４２Ｂを備えた流水制御キャップ４２を内嵌状に取り付けた給水タンク４０の筒状給水部４０Ａを受水部１７の係止部１７Ａに係入して用いる実施形態を例示している。
【００８７】
図１４と図１５のいずれの場合も、給水タンク４０から受水部１７に供給された植栽用水はチャンネル部１８を通って貯水容器部１０に流れ込み、貯水容器部１０での水面の高さが筒状給水部４０Ａまたは流水制御キャップ４２の先端に達すると、給水タンク４０内の気圧が大気圧と平衡して給水が自然に止まり、植物Ｐによる吸水などによって貯水容器部１０の水面が下がると再び給水が進められる。
【００８８】
〔別実施形態〕
〈１〉ケース部材５０どうしを上下に積層した際に、下方のケース部材５０の縦壁部５１が上方に隣接するケース部材５０の縦壁部５１の内側に部分的に進入した連結状態が得られるための構成として、ケース部材５０の縦壁部５１が階段状ではなく全体としてテーパ状の断面形状を備えた形態としても良い。
【００８９】
〈２〉ケース部材５０に外嵌された植栽用トレイ２０どうしを上下に積層した際に、下方のケース部材５０の縦壁部５１が上方に隣接するケース部材５０の縦壁部５１の内側に部分的に進入した状態と同時に、上方の植栽用トレイ２０の貯水容器部１０が下方の植栽用トレイ２０の貯水容器部１０の内側に部分的に進入した第２の進入状態が同時に得られるように構成してもよい。
【００９０】
〈３〉第３植栽容器セット６０Ｃにおいて、給水タンク４０の筒状給水部４０Ａが、受水部１７の係止部１７Ａに対して外嵌状に係止される形態としてもよい。
【産業上の利用可能性】
【００９１】
植栽用水を貯留可能な貯水容器部と、貯水容器部に吸水性の植栽床材を設置するための床材収納部と、貯水容器部の底面と連通接続された受水部とを備えている植栽容器や、同植栽容器と同植栽容器に連結される枠状のケース部材とを備えた植栽装置に従来見られた課題を解決するための技術として利用可能な発明である。
【符号の説明】
【００９２】
Ｐ      植物
１      底壁部
２      側壁部
３      流水規制片
４      フランジ部
４Ａ    補助フランジ部
５      係止片（係止部）
１０    貯水容器部
１２    床材収納部
１４    用水流路
１６    潅水部
１７    受水部
１７Ａ  係止部
１８    チャンネル部
２０    植栽用トレイ（植栽容器）
３０    植栽床材
３２    植栽床材
４０    給水タンク（給水手段）
４０Ａ  筒状給水部
５０    ケース部材
５１    縦壁部（ケース部材）
５１Ｈ  係止孔（係止孔部）
５１Ｊ  係止爪（補助係止部）
５２    カバー部（ケース部材）
５２Ａ  ドリルマーク
５２Ｂ  当接リブ（当接片）
５２Ｃ  貫通孔（風抜き用）
５３    係止孔
６０Ａ  第１植栽容器セット（植栽装置）
６０Ｂ  第２植栽容器セット（植栽装置）
６０Ｃ  第３植栽容器セット（植栽装置）
７０    固定補助具
７０Ａ  第１辺（固定補助具）
７０Ｂ  第２辺（固定補助具）
１００  フローリング材
【図１】
2014100086.tif 000003
【図２】
2014100086.tif 000004
【図３】
2014100086.tif 000005
【図４】
2014100086.tif 000006
【図５】
2014100086.tif 000007
【図６】
2014100086.tif 000008
【図７】
2014100086.tif 000009
【図８】
2014100086.tif 000010
【図９】
2014100086.tif 000011
【図１０】
2014100086.tif 000012
【図１１】
2014100086.tif 000013
【図１２】
2014100086.tif 000014
【図１３】
2014100086.tif 000015
【図１４】
2014100086.tif 000016
【図１５】
2014100086.tif 000017